【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
複数の画像処理部、前記複数の画像処理部を制御する制御部、及び、前記制御部に割り込みを出力する割り込み部、を有する第１集積回路と、
前記第１集積回路と通信可能に接続され、複数の画像処理部、前記複数の画像処理部を制御する制御部、及び、前記制御部に割り込みを出力する割り込み部、を有する第２集積回路と、を備える情報処理装置であって、
前記第２集積回路の割り込み部は、前記第２集積回路の複数の画像処理部の少なくとも１つに割り込みを出力し、
前記第２集積回路の割り込み部からの割り込みが入力された前記第２集積回路の画像処理部は、前記第２集積回路の割り込み部からの割り込みの入力に従って、前記第１集積回路の複数の画像処理部の少なくとも１つに割り込みを出力し、
前記第２集積回路からの割り込みが入力された前記第１集積回路の画像処理部は、前記第２集積回路からの割り込みの入力に従って、前記第１集積回路の割り込み部に割り込みを出力し、
前記第１集積回路の割り込み部は、前記第１集積回路の画像処理部からの割り込みの入力に従って、前記第１集積回路の制御部に割り込みを出力する
ことを特徴とする情報処理装置。
【請求項２】
前記割り込みが入力された前記第２集積回路の画像処理部は、割り込みパケットを生成し、前記割り込みパケットを前記第１集積回路に送信する
ことを特徴とする請求項１に記載の情報処理装置。
【請求項３】
前記割り込みが入力された前記第２集積回路の画像処理部は、前記割り込みが入力されるポートを有し、前記ポートに前記割り込みが入力されたことに従って、前記割り込みパケットを生成する
ことを特徴とする請求項２に記載の情報処理装置。
【請求項４】
前記第１集積回路の前記複数の画像処理部は、少なくとも第１タイプの画像処理部と第２タイプの画像処理部とを有し、
前記第２集積回路の前記複数の画像処理部は、少なくとも第１タイプの画像処理部と第２タイプの画像処理部とを有し、
前記第１集積回路の第１タイプの画像処理部、前記第２集積回路の第２タイプの画像処理部、及び、前記第１集積回路の制御部、がデータ通信可能に接続されている
ことを特徴とする請求項１から３のいずれか１項に記載の情報処理装置。
【請求項５】
前記第１集積回路の前記複数の画像処理部は、第３タイプの画像処理部をさらに有し、
前記第１集積回路の第１タイプの画像処理部、前記第２集積回路の第２タイプの画像処理部、前記第１集積回路の第３タイプの画像処理部、及び、前記第１集積回路の制御部、がデータ通信可能に接続されている
ことを特徴とする請求項４に記載の情報処理装置。
【請求項６】
前記第１集積回路の第１タイプの画像処理部、前記第２集積回路の第２タイプの画像処理部、前記第１集積回路の第３タイプの画像処理部、及び、前記第１集積回路の制御部、が、この順でデータが送信されるように、接続されている
ことを特徴とする請求項５に記載の情報処理装置。
【請求項７】
プリンタ部及びスキャナ部をさらに備え、
前記第１タイプの画像処理部は、前記プリンタ部に処理したデータを送信し、
前記第３タイプの画像処理部は、前記スキャナ部から受信したデータに処理を行う
ことを特徴とする請求項５または６に記載の情報処理装置。
【請求項８】
前記第２集積回路は、前記第２集積回路の画像処理部から出力された前記割り込みを前記第１集積回路に出力する外部インタフェースをさらに有する
ことを特徴とする請求項１から７のいずれか１項に記載の情報処理装置。
【請求項９】
前記第１集積回路は、前記第２集積回路の前記外部インタフェースから出力された前記割り込みを受信し、前記第２集積回路の前記外部インタフェースからの割り込みの受信に従って、前記第１集積回路の複数の画像処理部の少なくとも１つに割り込みを出力する外部インタフェースをさらに有する
ことを特徴とする請求項８に記載の情報処理装置。
【請求項１０】
複数の画像処理部、前記複数の画像処理部を制御する制御部、及び、前記制御部に割り込みを出力する割り込み部、を有する第１集積回路と、
複数の画像処理部、前記複数の画像処理部を制御する制御部、及び、前記制御部に割り込みを出力する割り込み部、を有する第２集積回路と、を備える情報処理装置であって、
前記第２集積回路は、前記第２集積回路の割り込み部が出力した割り込みを、前記第１集積回路に送信する送信部を有し、
前記第１集積回路は、前記送信部から送信された前記割り込みを受信する受信部を有し、
前記第１集積回路の前記受信部によって受信された前記割り込みは、前記第１集積回路の制御部に入力される、ことを特徴とする情報処理装置。
【請求項１１】
前記送信部と前記受信部とはシリアルバスによって接続されている、ことを特徴とする請求項１０に記載の情報処理装置。
【請求項１２】
前記第２集積回路の割り込み部から出力された割り込みは、前記第２集積回路の複数の画像処理部の少なくとも１つに入力され、
前記割り込みが入力された前記第２集積回路の画像処理部は、割り込みパケットを生成し、前記割り込みパケットを前記第１集積回路に送信する
ことを特徴とする請求項１０または１１に記載の情報処理装置。
【請求項１３】
前記第１集積回路の前記複数の画像処理部は、少なくとも第１タイプの画像処理部と第２タイプの画像処理部とを有し、
前記第２集積回路の前記複数の画像処理部は、少なくとも第１タイプの画像処理部と第２タイプの画像処理部とを有し、
前記第１集積回路の第１タイプの画像処理部、前記第２集積回路の第２タイプの画像処理部、及び、前記第１集積回路の制御部、がデータ通信可能に接続されている
ことを特徴とする請求項１０から１２のいずれか１項に記載の情報処理装置。
【請求項１４】
複数の画像処理部、前記複数の画像処理部を制御する制御部、及び、前記制御部に割り込みを出力する割り込み部、を有する集積回路であって、
外部デバイスから出力された割り込みを受信する外部インタフェースと、
前記外部インタフェースが受信した割り込みを、前記複数の画像処理部のいずれか１つに出力するスイッチ部と、を有し、
前記割り込みが入力された前記複数の画像処理部のいずれか１つは、前記割り込みの入力に従って、前記割り込み部に割り込みを出力する
ことを特徴とする集積回路。
【請求項１５】
前記割り込み部は、前記複数の画像処理部のいずれか１つから前記割り込みが入力されたことに従って、前記制御部に割り込みを出力する
ことを特徴とする請求項１４に記載の集積回路。
【請求項１６】
前記画像処理部と前記割り込み部と前記外部インタフェースとの間を接続するバスを有し、
前記スイッチ部は、前記外部インタフェースが受信した割り込みが前記複数の画像処理部のいずれか１つに転送されるように前記バスの経路を制御する
ことを特徴とする請求項１４または１５に記載の集積回路。
【請求項１７】
前記割り込み部は、前記複数の画像処理部の少なくとも１つに割り込みを出力し、
前記割り込みが入力された前記画像処理部は、前記割り込みの入力に従って、前記外部インタフェースを介して外部デバイスに割り込みを出力する
ことを特徴とする請求項１６に記載の集積回路。
【請求項１８】
前記割り込みが入力された前記画像処理部は、割り込みパケットを生成し、前記割り込みパケットを、前記外部インタフェースを介して外部デバイスに送信する
ことを特徴とする請求項１７に記載の集積回路。
【請求項１９】
前記割り込みが入力された前記画像処理部は、前記割り込みが入力されるポートを有し、前記ポートに前記割り込みが入力されたことに従って、前記割り込みパケットを生成する
ことを特徴とする請求項１８に記載の集積回路。
【請求項２０】
前記スイッチ部は、前記画像処理部から出力された前記割り込みパケットが前記外部インタフェースに転送されるように前記バスの経路を制御する
ことを特徴とする請求項１９に記載の集積回路。
【手続補正２】
【補正対象書類名】明細書
【補正対象項目名】発明の名称
【補正方法】変更
【補正の内容】
【発明の名称】情報処理装置、および集積回路
【手続補正３】
【補正対象書類名】明細書
【補正対象項目名】０００７
【補正方法】変更
【補正の内容】
【０００７】
本発明の情報処理装置は、複数の画像処理部、前記複数の画像処理部を制御する制御部、及び、前記制御部に割り込みを出力する割り込み部、を有する第１集積回路と、前記第１集積回路と通信可能に接続され、複数の画像処理部、前記複数の画像処理部を制御する制御部、及び、前記制御部に割り込みを出力する割り込み部、を有する第２集積回路と、を備える情報処理装置であって、前記第２集積回路の割り込み部は、前記第２集積回路の複数の画像処理部の少なくとも１つに割り込みを出力し、前記第２集積回路の割り込み部からの割り込みが入力された前記第２集積回路の画像処理部は、前記第２集積回路の割り込み部からの割り込みの入力に従って、前記第１集積回路の複数の画像処理部の少なくとも１つに割り込みを出力し、前記第２集積回路からの割り込みが入力された前記第１集積回路の画像処理部は、前記第２集積回路からの割り込みの入力に従って、前記第１集積回路の割り込み部に割り込みを出力し、前記第１集積回路の割り込み部は、前記第１集積回路の画像処理部からの割り込みの入力に従って、前記第１集積回路の制御部に割り込みを出力することを特徴とする。